(57)【特許請求の範囲】
【請求項１】
ロールチョック（ＬＳ）により担持台車（ＴＷ）上に載置されてロール台架に対し走出入可能なロール対を備え、ロール台架を通過する圧延材列の移動面の上方または下方に圧延材列のための案内要素（ＯＦＥ，ＵＦＥ）が配置され、これら案内要素（ＯＦＥ，ＵＦＥ）がそれぞれレストバー（ＷＢ）に枢着され、該レストバー（ＷＢ）の両端部が、ロール端面とロールチョック（ＬＳ）のロール端面側側面との間に配置されている板状のレストバー担持体（ＷＴ）と結合されている、水平二段ロール台架の圧延材案内装置において、
板状のレストバー担持体（ＷＴ）が、互いに向き合っているその側壁に、レストバー（ＷＢ）の端部を受容して滑動可能に案内するために直線状に延びている案内溝（ＦＮ）を有していること、
レストバー担持体（ＷＴ）が、それぞれのロール（ＷＺ）のロールチョック（ＬＳ）と固定結合されていること、
を特徴とする圧延材案内装置。
【請求項２】
ロール（ＷＺ）がロールチョック（ＬＳ）を用いてロール台架に取り付けられているロール（ＷＺ）の取り付け位置において、板状のレストバー担持体（ＷＴ）の外面とロール台架のスタンドの内壁面との間に、圧下方向に延びる滑動板（ＧＬ）が配置されていることを特徴とする、請求項１に記載の圧延材案内装置。
【請求項３】
板状のレストバー担持体（ＷＴ）が、ロールチョック（ＬＳ）の端部であってロール（ＷＺ）の端面に隣接している前記ロールチョック（ＬＳ）の端部のためのロール側ベアリングキャップとして構成されていることを特徴とする、請求項２に記載の圧延材案内装置。
【請求項４】
操作側と駆動側にそれぞれ１つのロールスタンドを備えたスタンドロール台架が設けられ、操作側のロールスタンドと駆動側のロールスタンドとが互いに連結可能であり、操作側のロールスタンドが圧延方向に対し横方向において駆動側のロールスタンドに対し接離可能である、請求項１から３までのいずれか一つに記載の圧延材案内装置において、
操作側のスタンドが、ロール（ＷＺ）のロールチョック（ＬＳ）を側方から取り囲むようにして残りのスタンドから分割可能であり且つ取り外し可能な側方の固定装置（ＺＳ）により前記残りのスタンドと固定可能な独立部分（ＷＭ）を有し、独立部分（ＷＭ）が、ロール（ＷＺ）およびそのロールチョック（ＬＳ）並びに圧延材案内装置（ＯＦＥ，ＵＦＥ）とともに担持台車（ＴＷ）上に載置されて、残っているロール台架（ＷＯ，ＷＵ）から走出可能に且つ該ロール台架の中へ走入可能に構成されていることを特徴とする圧延材案内装置。
【発明の詳細な説明】
【技術分野】
【０００１】
本発明は、ロールチョックにより担持台車上に載置されてロール台架に対し走出入可能なロール対を備え、ロール台架を通過する圧延材列の移動面の上方または下方に圧延材列のための案内要素が配置され、これら案内要素がそれぞれレストバーに枢着され、該レストバーの両端部が、ロール端面とロールチョックのロール端面側側面との間に配置されている板状のレストバー担持体と結合されている、水平二段ロール台架の圧延材案内装置に関するものである。
【背景技術】
【０００２】
この種の圧延材案内装置は特許文献１から知られている。この装置の欠点は、レストバーによって担持されている案内要素相互の間隔を変更させるために、その都度通過する圧延材列の強度、すなわちその圧下位置に適合させることが必要であり、レストバーの担持体を取り外したり取り付けるためにかなりのコストを要し、ほとんどの場合レストバー端部と担持体との間に間隔調整板を使用せねばならないので、熟練した組立作業員を必要とすることである。
【特許文献１】ＥＰ８５７５２２
【発明の開示】
【発明が解決しようとする課題】
【０００３】
本発明の課題は、この種のコストを回避し、案内要素相互の間隔を、通過する圧延材列の強度に対し自動的に適合させることである。
【課題を解決するための手段】
【０００４】
この課題は、本発明によれば、板状のレストバー担持体が、互いに向き合っているその側壁に、レストバーの端部を受容して滑動可能に案内するために直線状に延びている案内溝を有していること、レストバー担持体が、それぞれのロールのロールチョックと固定結合されていることによって解決される。
【０００５】
このように構成した圧延材案内装置は、圧延材列のための案内要素相互の間隔を変更させるためにレストバー担持体を特別に変位させたり位置調整したりするための補助的な作業を必要としない。というのは、レストバー担持体がそれぞれのロールのロールチョックと固定結合されているので、レストバー担持体の案内溝で滑動可能に案内されて案内要素を担持しているレストバーが、特別な位置調整作業を要することなくロールチョックの圧下運動に自動的に追従するからである。
【０００６】
さらに、本発明の提案によれば、ロールがロールチョックを用いてロール台架に取り付けられているロールの取り付け位置において、板状のレストバー担持体の外面とロール台架のスタンドの内壁面との間に、圧下方向に延びる滑動板が配置されていてよい。この場合、板状のレストバー担持体は、ロールチョックの端部であってロールの端面に隣接している前記ロールチョックの端部のためのロール側ベアリングキャップとして構成されていてよい。さらに、操作側と駆動側にそれぞれ１つのロールスタンドを備えたスタンドロール台架が設けられ、操作側のロールスタンドと駆動側のロールスタンドとが互いに連結可能であり、操作側のロールスタンドが圧延方向に対し横方向において駆動側のロールスタンドに対し接離可能である圧延材案内装置においては、操作側のスタンドが、ロールのロールチョックを側方から取り囲むようにして残りのスタンドから分割可能であり且つ取り外し可能な側方の固定装置により前記残りのスタンドと固定可能な独立部分を有し、独立部分が、ロールおよびそのロールチョック並びに圧延材案内装置とともに担持台車上に載置されて、残っているロール台架から走出可能に且つ該ロール台架の中へ走入可能に構成されていてよい。
【発明を実施するための最良の形態】
【００１０】
次に、本発明の実施形態を添付の図面を用いて詳細に説明する。
図１からわかるように、ロールＷＺはレール対ＳＰ上をローラＲＬで走行可能な担持台車ＴＷ上に載置されており、２つのロールスタンド（図１に図示した操作側のロールスタンドＷＳＢと図２に図示した駆動側のロールスタンドＷＳＡ）のスタンド窓ＳＦでロールチョックＬＳを用いて案内されている。操作側のロールスタンドＷＳＢは３つの部分から成り、すなわち上部部分ＷＯと、下部部分ＷＵと、それらの間にある中間部分ＷＭとから成っている。上部部分ＷＯと下部部分ＷＵとは、図１には図示していない態様で駆動側のロールスタンドＷＳＡと結合されて、該駆動側のロールスタンドＷＳＡとともに固有のロール台架を形成している。中間部分ＷＭは、ロールＷＺおよびそのロールチョックＬＳとともに、駆動側のロールスタンドＷＳＡと操作側の両ロールスタンド部分ＷＯ，ＷＵとから形成される部分台架から担持台車ＴＷで走出することができる。操作側のロールスタンド部分ＷＯ，ＷＭ，ＷＵは外側に縦溝ＬＮ（図２をも参照）を有しており、下部ロールスタンド部分ＷＡＵに枢着されている引張り棒ＺＳは二重矢印ＤＰで示した方向においてこの縦溝ＬＮ内へ内側へ回動可能であり、或いはこの縦溝の中から外へ外側へ回動可能である。引張り棒ＺＳはその自由端を引張りモータＺＭと結合されている。引張りモータＺＭは引張り棒ＺＳの内側回動位置においてロールスタンド部分ＷＯの上面で支持され、上部ロールスタンド部分ＷＯと下部ロールスタンド部分ＷＵとを中間ロールスタンド部分ＷＭと固定させている。
【００１１】
図２からわかるように、ロールＷＺの両端面と、これら両端面に付設されている、ロールチョックＬＳの側面との間には、板状のレストバー担持体ＷＴが配置されている。レストバー担持体ＷＴは、ロールと駆動側のロールスタンドＷＳＡおよび操作側のロールスタンドＷＳＢの側部画成部とを越えて突出しており、その自由端にレストバーＷＢの端部を鉛直方向の案内溝ＦＮで受容している（図１をも参照）。レストバー担持体ＷＴは、それぞれのロールＷＺのロールチョックＬＳと固定結合されている。また、レストバー担持体ＷＴの、ロールチョックＬＳの側面側の部分は、ロールチョックＬＳの端部であってロールＷＺに隣接している前記端部のためのベアリングキャップを形成している。レストバー担持体ＷＢの突出部分の外面とロールスタンドの内面との間には、ロールの圧下方向に延びる滑動板ＧＬが配置されている。
【００１２】
圧延材のための上部案内要素ＯＦＥと下部案内要素ＵＦＥとは中間担持体ＺＷＴを介してレストバーＷＢと螺着され、位置調整要素ＳＥを用いて圧延材のサイズに調整することができる。
【００１３】
図１からわかるように、このように上部および下部ロールチョックと結合されている上部案内要素ＯＦＥおよび下部案内要素ＵＦＥは、これらロールチョックＬＳで支持されているロールＷＺの圧下運動に自動的に追従する。
【図面の簡単な説明】
【００１４】
【図１】ロール台架内へ走入可能で圧延材案内装置を備えたロールセットの部分断面側面図である。
【図２】図１の線Ａ−Ａによる断面図である。
【符号の説明】
【００１５】
ＷＺ                ロール
ＲＬ                ローラ
ＳＰ                レール対
ＷＳＡ              駆動側のロールスタンド
ＷＳＢ              操作側のロールスタンド
ＳＦ                スタンド窓
ＬＳ                ロールチョック
ＷＯ                上部部分
ＷＭ                中間部分
ＷＵ                下部部分
ＬＮ                縦溝
ＺＳ                引張り棒
ＺＭ                引張りモータ
ＤＰ                二重矢印
ＷＢ                レストバー
ＷＴ                レストバー担持体
ＧＬ                滑動板
ＺＷＴ              中間担持体
ＯＦＥ              上部案内要素
ＵＦＥ              下部案内要素
ＴＷ                担持台車
ＦＮ                案内溝
ＳＥ                位置調整要素
【図１】
0004197646.tif 000002
【図２】
0004197646.tif 000003